(57)【特許請求の範囲】
【請求項１】
庫内に中仕切壁を配して複数の商品室に区画し、各商品室ごとに商品収納ラック、ファン付き冷却／加熱ユニット、および該冷却／加熱ユニットの風胴に連ねて庫内背面側に循環空気の吸込ダクトを備えた自動販売機のキャビネットであり、該キャビネットが鋼板製の内箱と外箱との間に発泡断熱材を充填した断熱筐体としてなるものにおいて、前記吸込ダクト内の通風路に沿ってキャビネットの内箱の壁面上にシート状の断熱材を吊り下げるように該断熱材の上縁のみにスペーサを介して固定し、断熱材を内箱の壁面から浮かして布設したことを特徴とする自動販売機のキャビネット。
【発明の詳細な説明】
【０００１】
【発明の属する技術分野】
本発明は、缶飲料商品などをコールド，ないしホット商品として販売に供する自動販売機のキャビネットに関する。
【０００２】
【従来の技術】
まず、頭記した自動販売機の構成を図２に示す。図において、１は前面開放形の箱体としてなるキャビネット、２はその前面扉、２ａは商品取出口、３は前面扉２の裏面側に配した断熱内扉、４は商品５を収納する商品収納ラック（サーペンタイン式商品収納ラック）、６は商品収納ラックから下方に払出した商品５を前記商品取出口２ａに送出する搬出シュータ、７は庫内底部側に設置した冷却／加熱ユニット、８は冷却／加熱ユニット７の後端に連ねて庫内の背面側に配置し、その上端を庫内中段位置に開口させた循環空気の吸込ダクト、９はキャビネット１のベース側に配置した冷凍機のコンデンシングユニットである。なお、キャビネット１の庫内は、図３に示す断熱壁としてなる中仕切壁１０を挿入して左右に並ぶ複数の商品室１１が画成されており、各商品室１１ごとに前記の商品収納ラック５，シュータ６，冷却／加熱ユニット７を装備した構成になる。
【０００３】
また、前記の冷却／加熱ユニット７は、商品保冷用の冷却器（冷凍機のエバポレータ）７ａ，商品加温用のヒータ７ｂ，送風ファン７ｃ，風胴７ｄの組立体としてなり、風胴７ｄの後端が吸込ダクト８に連通している。
一方、キャビネット１は、庫内に重量物の商品収納ラック４などを搭載することから十分な剛性，機械的強度が要求され、図３で示すように鋼板製の内箱１ａと外箱１ｂとの間に例えば硬質ウレタンフォームなどの発泡断熱材１ｃを発泡成形した断熱筐体としてなり、その内箱１ａの背面壁面上に添わせて前記した吸込ダクト８が取付けられている。
【０００４】
かかる構成で、コールド商品を販売する商品室では冷却／加熱ユニット７の冷却器７ａを運転し、冷却器７ａとの熱交換で低温になった空気がファン７ｃの送風により図示矢印のように商品室内を流れ、吸込ダクト８を通じて再び冷却／加熱ユニット７に戻るように循環送風され、その送風過程で商品収納ラック４に収容した商品５を販売適温に保冷する。また、ホット商品を販売する商品室では冷却／加熱ユニット７のヒータ７ｂを通電し、該ヒータで加熱した暖気を循環送風して商品５を販売適温に加熱することは周知の通りである。
【０００５】
【発明が解決しようとする課題】
前記したコールド，ホット商品を販売する自動販売機では、庫内での熱損失低減，省エネ化から、断熱筐体としてなるキャビネット１には庫内／庫外の間，および商品室相互間（隣接する商品室の一方がコールド商品を販売し、他方の室でホット商品を販売する場合）で高い断熱性能が要求される一方で、庫内での商品収容効率向上，および自動販売機の道路はみ出し問題に伴う薄形化からキャビネット１の断熱壁はできるだけ薄くすることが望まれている。
【０００６】
かかる観点から、発明者等はキャビネットの改良化を進める過程で、キャビネットの庫内各部についてコールド，ホット運転状態での断熱壁の熱貫流，熱損失の分布状況を調べたところ、吸込ダクト８に面する庫内背面域で大きな熱損失の生じていることが判明した。これは、庫内に吹出した冷気，ないし暖気流が冷却／加熱ユニット７に還流する途中で断面積の狭い吸込ダクト８の通風路に集中して流れ、ダクト内でキャビネット１の内箱（鋼板製）１ａの表面を洗流して通風するためであり、庫内／庫外間の熱貫流は勿論のこと、熱伝導率の高い鋼板製の内箱１ａを伝熱経路として隣り合うコールド商品室とホット商品室の間の熱貫流が大きくなる。
【０００７】
本発明は上記の点にかんがみなされたものであり、その目的は前記課題を解決し、少量の断熱材を追加装備するだけで、庫内／庫外間，および隣り合う商品室相互間での伝熱を効果的に減少して熱損失の低減，省エネ化が図れるように改良した自動販売機のキャビネットを提供することにある。
【０００８】
【課題を解決するための手段】
上記目的を達成するために、本発明によれば、庫内に中仕切壁を配して複数の商品室に区画し、各商品室ごとに商品収納ラック、ファン付き冷却／加熱ユニット、および該冷却／加熱ユニットの風胴に連ねて庫内背面側に循環空気の吸込ダクトを備えた自動販売機のキャビネットであり、該キャビネットが鋼板製の内箱と外箱との間に発泡断熱材を充填した断熱筐体としてなるものにおいて、前記吸込ダクト内の通風路に沿ってキャビネットの内箱の壁面上にシート状の断熱材を吊り下げるように該断熱材の上縁のみにスペーサを介して固定し、断熱材を内箱の壁面から浮かして布設する。
【０００９】
かかる構成によれば、商品室のコールド，ないしホット運転時に、吸込ダクト内の通風路を集中して流れる庫内の循環冷気流，ないし暖気流は断熱キャビネットを構成する鋼板製内箱の壁面に直接接触して伝熱することがなく、吸込ダクト内に布設した断熱材の介在によって内箱壁面との間の熱伝達が低く抑えられる。また、この断熱材として断熱シートを内箱の壁面から多少浮かして布設することで断熱シートと内箱の壁面との間には空気の断熱層が生成されるので、断熱性がより一層高まるようになる。
【００１０】
これにより、吸込ダクト内通風路の面域に断熱シートを追加するだけで、庫内／庫外間は勿論のこと、隣り合うコールド商品室とホット商品室との間の熱貫流を低く抑えてキャビネットの熱損失を効果的に低減できる。
【００１１】
【発明の実施の形態】
以下、本発明の実施の形態を図１に示す実施例に基づいて説明する。なお、実施例の図中で図２，図３に対応する同一部材には同じ符号を付してその説明は省略する。
すなわち、図示実施例においては、吸込ダクト８の内部通風路に沿ってキャビネット１を構成する内箱１ａの背面の壁面上には断熱材としてプラスチックの断熱シート１２が布設されていおり、かつその断熱シート１２は内箱１ａの壁面から浮かして吊り下げるように、スペーサ１３を介して断熱シート１２の上縁がねじ１４で固定されている。
【００１２】
かかる構成により、庫内の商品室１１をコールド運転，ないしホット運転した状態では、吸込ダクト８に吸い込まれてダクト内に集中して通流する冷気流，ないし暖気流は図示矢印のように断熱シート１２に沿って流れ、キャビネット１の内箱（鋼板製）１ａの壁面に直接触れることがない。これにより、吸込ダクト８を通流する冷気流，ないし暖気流と内箱１ａとの間の伝熱が断熱シート１２の介在により抑えられて、庫内／庫外間，および隣接する商品室相互間に伝熱によるキャビネットの熱損失が低減する。また、特に断熱シート１２を内箱１ａの壁面から浮かすように布設することにより、断熱シート１２と内箱１ａの壁面との間にエアギャップの断熱層が形成されるので断熱性能がより一層向上する。
【００１３】
【発明の効果】
以上述べたように、本発明の構成によれば、庫内の背面に配した吸込ダクト内の通風路に沿ってキャビネットの内箱の壁面上にシート状の断熱材を布設したことにより、庫内全域に比べて面域の小さな吸込ダクト内の通風路に断熱シートを布設するだけで、効果的に庫内／庫外間，および隣り合うコールド室とホット室相互間での熱貫流を低く抑えてキャビネットの断熱性能を高めることができ、これによりキャビネットの薄肉化，並びに自動販売機の省エネ化に大きく貢献できる。
【図面の簡単な説明】
【図１】本発明の実施例によるキャビネットを採用した自動販売機の要部の断面図
【図２】本発明の実施対象となる自動販売機全体の構成断面図
【図３】図２における吸込ダクト周辺の従来構造を表す断面図
【符号の説明】
１    キャビネット
１ａ  内箱
１ｂ  外箱
１ｃ  発泡断熱材
４    商品収納ラック
５    商品
７    冷却／加熱ユニット
７ａ  冷却器
７ｂ  ヒータ
７ｃ  ファン
７ｄ  風胴
８    吸込ダクト
１０    中仕切壁
１１    商品室
１２    断熱シート
【図１】
0003777824.tif 000002
【図２】
0003777824.tif 000003
【図３】
0003777824.tif 000004